(57)【要約】【課題】  スクリューフリーファンホルダ固定装置の提供。【解決手段】  コンピュータのケース内部に組み付けられ、ファンホルダ及び固定座を具え、並びにファンホルダの上凸塊、緊合ブロック及びしたフックが固定座の上結合孔、緊合孔及び下結合孔に対応し結合させられ、並びにファンホルダ中の緊合ブロックと下フックの間の距離が固定座の緊合孔と下結合孔の距離よりやや大きく、これによりファンホルダが塑性変形を発生し、並びに変形の弾性回復力でファンホルダをしっかりと固定座に結合させる。【選択図】        図１
2005315239.tif 000002
【特許請求の範囲】
【請求項１】
コンピュータのケース内部に組み付けられるスクリューフリーファンホルダ固定装置であり、少なくとも一つのファンホルダと一つの固定座を具え、
各ファンホルダは直立側面を具え、該直立側面に上凸塊、緊合ブロック及び下フックが設けられ、該緊合ブロックは横向き係止端を具え、且つ下フックは外向きに横に延伸された横板と横板外端より更に下向きに延伸された縦板を具え、該横板の底面に横向き面が形成され、該緊合ブロックの横向き係止端と下フックの横向き面の間に第１距離Ｌ１が設けられ、
該固定座は、該コンピュータのケース内に固定され、該固定座は直立板を具え、該直立板に少なくとも一組の係止構造が設けられて少なくとも一つのファンホルダに対応し、各一組の係止構造は上結合孔、緊合孔、及び下結合孔を具え、それぞれ少なくとも一つのファンホルダの上凸塊、緊合ブロック、下フックに対応し、且つ該緊合孔は上端を具え、該下結合孔は下端を具え、該緊合孔の上端と下結合孔の下端の間に第２距離Ｌ２が形成され、
該第１距離Ｌ１は第２距離Ｌ２より大きく設けられたことを特徴とする、スクリューフリーファンホルダ固定装置。
【請求項２】
請求項１記載のスクリューフリーファンホルダ固定装置において、緊合ブロックが楔形ブロックとされたことを特徴とする、スクリューフリーファンホルダ固定装置。
【請求項３】
請求項１記載のスクリューフリーファンホルダ固定装置において、少なくとも一つのファンホルダがプラスチック材料で形成され、固定座が鉄金属材料で形成されたことを特徴とする、スクリューフリーファンホルダ固定装置。
【請求項４】
請求項１記載のスクリューフリーファンホルダ固定装置において、少なくとも一つのファンホルダの緊合ブロックが上凸塊と下フックの間に設置されたことを特徴とする、スクリューフリーファンホルダ固定装置。
【発明の詳細な説明】
【技術分野】
【０００１】
本発明は一種のコンピュータ内部のファンホルダ固定装置に係り、特にスクリューフリーファンホルダ固定装置に関する。
【背景技術】
【０００２】
コンピュータ内部にはＣＰＵ、ハードディスクのような高熱を発生する部品が多くあり、このためコンピュータ内部には通常、冷却ファンを取り付けて空気を対流させてコンピュータ内部の熱エネルギーを奪い去り、システムの安定性を高める必要がある。
【０００３】
一般にコンピュータサーバーには複数のファンが取り付けられ、これによりそのうちの一つが故障しても他のファンにより一定程度の冷却効果を提供できるものとされ、これにより頻繁に修理員がコンピュータ停止の状況で修理を行わなくてもよいものとしている。
【０００４】
大多数のコンピュータサーバーにあっては、図１に示されるように、ファンはファンホルダと固定座が組み合わされてなるハードウエアに取り付けられる。このような構造では、ファンを取り外す時にはファンとファンホルダを同時に取り外さねばならず、周知の技術によるとファンホルダはネジで固定座に固定され、ネジは速やかに取り外すことができない。
【発明の開示】
【発明が解決しようとする課題】
【０００５】
本発明の主要な目的は、コンピュータ内部のファンホルダ固定装置を提供し、スクリューフリー（ネジ不要）の設計により速やかな取り付け取り外しの効果を達成できるようにすることにある。
【課題を解決するための手段】
【０００６】
請求項１の発明は、コンピュータのケース内部に組み付けられるスクリューフリーファンホルダ固定装置であり、少なくとも一つのファンホルダと一つの固定座を具え、
各ファンホルダは直立側面を具え、該直立側面に上凸塊、緊合ブロック及び下フックが設けられ、該緊合ブロックは横向き係止端を具え、且つ下フックは外向きに横に延伸された横板と横板外端より更に下向きに延伸された縦板を具え、該横板の底面に横向き面が形成され、該緊合ブロックの横向き係止端と下フックの横向き面の間に第１距離Ｌ１が設けられ、
該固定座は、該コンピュータのケース内に固定され、該固定座は直立板を具え、該直立板に少なくとも一組の係止構造が設けられて少なくとも一つのファンホルダに対応し、各一組の係止構造は上結合孔、緊合孔、及び下結合孔を具え、それぞれ少なくとも一つのファンホルダの上凸塊、緊合ブロック、下フックに対応し、且つ該緊合孔は上端を具え、該下結合孔は下端を具え、該緊合孔の上端と下結合孔の下端の間に第２距離Ｌ２が形成され、
該第１距離Ｌ１は第２距離Ｌ２より大きく設けられたことを特徴とする、スクリューフリーファンホルダ固定装置としている。
請求項２の発明は、請求項１記載のスクリューフリーファンホルダ固定装置において、緊合ブロックが楔形ブロックとされたことを特徴とする、スクリューフリーファンホルダ固定装置としている。
請求項３の発明は、請求項１記載のスクリューフリーファンホルダ固定装置において、少なくとも一つのファンホルダがプラスチック材料で形成され、固定座が鉄金属材料で形成されたことを特徴とする、スクリューフリーファンホルダ固定装置としている。
請求項４の発明は、請求項１記載のスクリューフリーファンホルダ固定装置において、少なくとも一つのファンホルダの緊合ブロックが上凸塊と下フックの間に設置されたことを特徴とする、スクリューフリーファンホルダ固定装置としている。
【発明の効果】
【０００７】
本発明の提出するファンホルダと固定座の組合せ構造は、スクリューフリー（ネジ不要）の効果を達成し、並びにスクリューフリーと同時に速やかに取付取り外しができ且つ強固な結合の長所を有している。ゆえに本発明は進歩性を具えている。
【発明を実施するための最良の形態】
【０００８】
本発明のスクリューフリーファンホルダ固定装置は、コンピュータのケース内部に組み付けられ、それは、少なくとも一つのファンホルダ、及び一つの固定座を具え、該ファンホルダは直立側面を具え、該直立側面に上凸塊、緊合ブロック及び下フックが設けられ、該緊合ブロックは横向き係止端を具え、且つ下フックは外向きに横に延伸された横板と更に下向きに延伸された縦板を具え、該横板の底面に横向き面が形成され、該緊合ブロックの横向き係止端と下フックの横向き面の間に第１距離Ｌ１が設けられ、また該固定座は、該コンピュータのケース内に固定され、該固定座は直立板を具え、該直立板に少なくとも一組の係止構造が設けられて少なくとも一つのファンホルダに対応し、各一組の係止構造は上結合孔、緊合孔、及び下結合孔を具え、それぞれ少なくとも一つのファンホルダの上凸塊、緊合ブロック、下フックに対応し、且つ該緊合孔は上端を具え、該下結合孔は下端を具え、該緊合孔の上端と下結合孔の下端の間に第２距離Ｌ２が形成されている。そのうち、第１距離Ｌ１は第２距離Ｌ２よりやや大きい。
【０００９】
言い換えると、本発明のファンホルダ固定装置はホルダ自身の弾性材質に、緊合ブロックと下フック間の距離が緊合孔と下結合孔間の距離よりやや大きく設けられたことが組み合わされて、弾性力の釈放により固定座に強固に結合される。
【実施例１】
【００１０】
図１を参照されたい。図１は本発明の実施例の分解図である。本発明はファンホルダ１と固定座２を具え、該ファンホルダ１は直立側面１０を具え、該直立側面１０に上凸塊１２、緊合ブロック１３及び下フック１１が設けられ、該緊合ブロック１３は横向き係止端１３１を具え、且つ下フック１１は外向きに横に延伸された横板１１０と横板１１０外端より更に下向きに延伸された縦板１１２を具え、該横板１１０の底面に横向き面１１１が形成され、該緊合ブロック１３の横向き係止端１３１と下フック１１の横向き面１１１の間に第１距離Ｌ１が設けられている。
【００１１】
該固定座２は、該コンピュータのケース３内に固定され、該固定座２は直立板２０を具え、該直立板２０に少なくとも一組の係止構造が設けられて少なくとも一つのファンホルダ１に対応し、各一組の係止構造は上結合孔２２、緊合孔２３、及び下結合孔２１を具え、それぞれ少なくとも一つのファンホルダ１の上凸塊１２、緊合ブロック１３、下フック１１に対応し、且つ該緊合孔２３は上端２３１を具え、該下結合孔２１は下端２１１を具え、該緊合孔２３の上端２３１と下結合孔２１の下端２１１の間に第２距離Ｌ２が形成されている。そのうち、第１距離Ｌ１は第２距離Ｌ２よりやや大きく、該ファンホルダ１は該下フック１１の縦板１１２が下結合孔２１内に挿入され、並びに横板１１０底面の横向き面１１１が下向きに該下結合孔２１の下縁２１１に圧接し、同時に上凸塊１２が該上結合孔２２に挿入され、且つ緊合ブロック１３が該緊合孔２３に対応し挿入され、並びに緊合ブロック１３の横向き係止端１３１が該緊合孔２３の上端２３１に圧接し、これによりファンホルダ１が圧力を受けて塑性変形を発生して弾性力により強固に固定座に結合される。
【００１２】
本発明の特徴は、第１距離Ｌ１が第２距離Ｌ２よりやや大きく設計されたことにある。これによりファンホルダ１が固定座２に結合される時に、先ず下フック１１が下結合孔２１中に挿入され、更に下向きに軽く押圧されることで緊合ブロック１３が緊合孔２３中に係合し、この時、ファンホルダ１は使用者の圧縮を受けて第１距離Ｌ１が第２距離Ｌ２と等しいかやや小さくなる。使用者が手を放した後、ファンホルダ１自身の材質が有する弾性回復力により、第１距離Ｌ１がもとの長さに回復し、緊合ブロック１３の横向き係止端１３１が緊合孔２３の上端２３１に係合し、下フック１１の横向き面１１１が下結合孔２１の下端２１１に係合し、更に同一軸上の上凸塊１２及び上結合孔２２の係合が加わり、ファンホルダ１が強固に固定座２に固定され、これは図２に示されるとおりである。図２中には別にファン４を下向きにファンホルダ１のファン結合溝１４に結合させる状態が示されている。
【００１３】
使用者がファンホルダ１を取り外したい時は、固定座２の背面の緊合孔２３より、緊合ブロック１３を押して緊合孔２３より離脱させれば簡単にファンホルダ１を取り外せる。
【００１４】
なお、本発明中の緊合ブロックの形状に制限はないが、好ましくは楔形ブロックとされる。本発明中のファンホルダの材質に制限はないが、好ましくはプラスチック等の弾性材料で形成される。本発明中の固定座の材質に制限はないが、好ましくは鉄金属材料で形成される。
【００１５】
以上の実施例は本発明の範囲を限定するものではなく、本発明に基づきなしうる細部の修飾或いは改変は、いずれも本発明の請求範囲に属するものとする。
【図面の簡単な説明】
【００１６】
【図１】本発明の実施例の分解図である。
【図２】本発明の実施例の結合状態表示図である。
【符号の説明】
【００１７】
１  ファンホルダ                  １１  下フック
１１１  横向き面                  １２  上凸塊
１３  緊合ブロック                １３１  横向き係止端
１４  ファン結合溝
２  固定座                        ２１  下結合孔
２１１  下端                      ２２  上結合孔
２３  緊合孔                      ２３１  上端
３  ケース
４  ファン
【図１】
2005315239.tif 000003
【図２】
2005315239.tif 000004